(57)【要約】【課題】  複数の画像データが添付された電子メールを受信した場合において、各画像データが示す画像を最も見やすい大きさでそれぞれ表示させること。【解決手段】  電子メールデータに添付されていた複数の画像データを不揮発性記憶部５４ａに記憶しておく。制御部５５は、各画像データにより描画される画像が自機の表示部５２の表示領域から食み出してしまうかどうかを判断する。表示領域から食み出してしまう画像の画像データについては、表示領域の横幅に収まるサイズに縮小処理を施してから表示させる。一方、表示領域から食み出さない画像の画像データは、縮小処理を施すことなく表示させる。【選択図】      図１
2005182323.tif 000002
【特許請求の範囲】
【請求項１】
表示手段と、
電子メールに添付されていた複数の画像データを記憶する記憶手段と、
前記記憶手段に記憶された各画像データが示す画像の横幅を前記表示手段の表示領域の横幅と一致させるための縮小比率又は拡大比率をそれぞれ算出する算出手段と、
前記記憶手段に記憶された各画像データが示す画像の縦幅と横幅の比率を縦横比としてそれぞれ特定する縦横比特定手段と、
前記各画像データ毎に特定した縦横比を維持したまま、各々の画像データに対し、前記各画像データ毎の拡大比率又は縮小比率に従った個別のサイズ変更処理を施す画像サイズ調整手段と、
当該画像サイズ調整手段によってサイズ変更処理が施された一連の画像データが示す各画像を前記表示手段に表示させる表示制御手段と
を備える画像調整装置。
【請求項２】
表示手段と、
電子メールに添付されていた複数の画像データを記憶する記憶手段と、
前記記憶手段に記憶された各画像データが示す画像の横幅が前記表示手段の表示領域の横幅から食み出すか否かをそれぞれ判断する判断手段と、
前記判断手段によって表示領域から食み出すと判断された画像データが示す画像の縦幅と横幅の比率を縦横比として特定する縦横比特定手段と、
前記判断手段によって表示領域から食み出すと判断された画像データに対し、前記特定した縦横比を維持したまま、その画像の横幅を前記表示領域の横幅と一致させるためのサイズ変更処理を施す画像サイズ調整手段と、
前記判断手段によって表示領域から食み出すと判断された画像データについては、前記サイズ変更処理が施された画像データが示す画像を前記表示手段に表示させる一方で、表示領域から食み出さないと判断された画像データについては、前記サイズ変更処理が施されていない画像データが示す画像を前記表示手段に表示させる表示制御手段と
を備える画像調整装置。
【請求項３】
請求項２記載の画像調整装置において、
前記画像サイズ調整手段が、
前記判断手段によって表示領域から食み出すと判断された画像データが示す画像の横幅と前記表示領域の横幅との比率から、当該画像データが示す画像の横幅を前記表示領域の横幅と一致させるための縮小比率を算出し、この縮小比率に従って前記サイズ変更処理を施す
画像調整装置。
【請求項４】
表示手段と、
複数の画像データを添付した電子メールを受信する受信手段と、
当該電子メールに添付されていた複数の画像データを記憶する記憶手段と、
前記記憶手段に記憶された各画像データが示す画像の横幅を前記表示手段の表示領域の横幅と一致させるための縮小比率又は拡大比率をそれぞれ算出する算出手段と、
前記記憶手段に記憶された各画像データが示す画像の縦幅と横幅の比率を縦横比としてそれぞれ特定する縦横比特定手段と、
前記各画像データ毎に特定した縦横比を維持したまま、各々の画像データに対し、前記各画像データ毎の拡大比率又は縮小比率に従った個別のサイズ変更処理を施す画像サイズ調整手段と、
当該画像サイズ調整手段によってサイズ変更処理が施された一連の画像データが示す各画像を前記表示手段に表示させる表示制御手段と
を備える移動通信端末。
【請求項５】
表示手段と、
複数の画像データを添付した電子メールを受信する受信手段と、
当該電子メールに添付されていた複数の画像データを記憶する記憶手段と、
前記記憶手段に記憶された各画像データが示す画像の横幅が前記表示手段の表示領域の横幅から食み出すか否かをそれぞれ判断する判断手段と、
前記判断手段によって表示領域から食み出すと判断された画像データが示す画像の縦幅と横幅の比率を縦横比として特定する縦横比特定手段と、
前記判断手段によって表示領域から食み出すと判断された画像データに対し、前記特定した縦横比を維持したまま、その画像の横幅を前記表示領域の横幅と一致させるためのサイズ変更処理を施す画像サイズ調整手段と、
前記判断手段によって表示領域から食み出すと判断された画像データについては、前記サイズ変更処理が施された画像データが示す画像を前記表示手段に表示させる一方で、表示領域から食み出さないと判断された画像データについては、前記サイズ変更処理が施されていない画像データが示す画像を前記表示手段に表示させる表示制御手段と
を備える移動通信端末。
【請求項６】
請求項５記載の移動通信端末において、
前記画像サイズ調整手段が、
前記判断手段によって表示領域から食み出すと判断された画像データが示す画像の横幅と前記表示領域の横幅との比率から、当該画像データが示す画像の横幅を前記表示領域の横幅と一致させるための縮小比率を算出し、この縮小比率に従って前記サイズ変更処理を施す
移動通信端末。
【発明の詳細な説明】
【技術分野】
【０００１】
本発明は、画像調整装置及び移動通信端末に関する。
【背景技術】
【０００２】
遠隔にある移動通信端末間で、画像データが添付された電子メールをやり取りさせるサービスが広く普及している。この種のサービスに利用される移動通信端末は、所定のタグと関連付けられた画像ファイルを含む電子メールを他の移動通信端末から受信すると、その画像ファイルと関連付けられたタグを解釈することにより、電子メールの文面と画像とが好適にレイアウトされた画面を自機のディスプレイデバイスに表示させることができるようになっている。
また、この種のサービスに利用される移動通信端末の多くは、機種毎のディスプレイデバイスのサイズの違いを吸収すべく、受信した画像データにより描画される画像のサイズを自機のディスプレイデバイスの表示幅に合わせて自動修正する機能を搭載している（非特許文献１参照）。かかる機能が搭載されているため、各移動通信端末の利用者は、自機のディスプレイデバイスと異なる解像度で作成された画像データを添付したメールを受信した場合であっても、サイズの違いを意識することなくその内容を閲覧することができる。
【非特許文献１】http://www.nttdocomo.co.jp/p_s/imode/tag/gazou.html
【発明の開示】
【発明が解決しようとする課題】
【０００３】
ところで、一通の電子メールに複数の画像データが添付されるケースがある。このような電子メールを最も見やすいレイアウトで表示させるためには、添付された各画像データのサイズに応じた個別の縮小処理を施すことが最も望ましい。また、それら各画像データから、縮小処理を要する画像データ、つまりは、その画像の横幅がディスプレイデバイスの表示領域の横幅から食み出すであろう画像データの選り分けを行なう必要もある。
本発明は、このような背景の下に案出されたものであり、複数の画像データが添付された電子メールを受信した場合において、各画像データが示す画像を最も見やすい大きさでそれぞれ表示させる画像調整装置を提供することを目的とする。
【課題を解決するための手段】
【０００４】
本発明の好適な態様である画像調整装置は、表示手段と、電子メールに添付されていた複数の画像データを記憶する記憶手段と、前記記憶手段に記憶された各画像データが示す画像の横幅を前記表示手段の表示領域の横幅と一致させるための縮小比率又は拡大比率をそれぞれ算出する算出手段と、前記記憶手段に記憶された各画像データが示す画像の縦幅と横幅の比率を縦横比としてそれぞれ特定する縦横比特定手段と、前記各画像データ毎に特定した縦横比を維持したまま、各々の画像データに対し、前記各画像データ毎の拡大比率又は縮小比率に従った個別のサイズ変更処理を施す画像サイズ調整手段と、当該画像サイズ調整手段によってサイズ変更処理が施された一連の画像データが示す各画像を前記表示手段に表示させる表示制御手段とを備える。
【０００５】
本発明の別の好適な態様である画像調整装置は、表示手段と、電子メールに添付されていた複数の画像データを記憶する記憶手段と、前記記憶手段に記憶された各画像データが示す画像の横幅が前記表示手段の表示領域の横幅から食み出すか否かをそれぞれ判断する判断手段と、前記判断手段によって表示領域から食み出すと判断された画像データが示す画像の縦幅と横幅の比率を縦横比として特定する縦横比特定手段と、前記判断手段によって表示領域から食み出すと判断された画像データに対し、前記特定した縦横比を維持したまま、その画像の横幅を前記表示領域の横幅と一致させるためのサイズ変更処理を施す画像サイズ調整手段と、前記判断手段によって表示領域から食み出すと判断された画像データについては、前記サイズ変更処理が施された画像データが示す画像を前記表示手段に表示させる一方で、表示領域から食み出さないと判断された画像データについては、前記サイズ変更処理が施されていない画像データが示す画像を前記表示手段に表示させる表示制御手段とを備える。
【０００６】
かかる態様において、前記画像サイズ調整手段が、前記判断手段によって表示領域から食み出すと判断された画像データが示す画像の横幅と前記表示領域の横幅との比率から、当該画像データが示す画像の横幅を前記表示領域の横幅と一致させるための縮小比率を算出し、この縮小比率に従って前記サイズ変更処理を施すようにしてもよい。
【０００７】
本発明の別の好適な態様である移動通信端末は、表示手段と、複数の画像データを添付した電子メールを受信する受信手段と、当該電子メールに添付されていた複数の画像データを記憶する記憶手段と、前記記憶手段に記憶された各画像データが示す画像の横幅を前記表示手段の表示領域の横幅と一致させるための縮小比率又は拡大比率をそれぞれ算出する算出手段と、前記記憶手段に記憶された各画像データが示す画像の縦幅と横幅の比率を縦横比としてそれぞれ特定する縦横比特定手段と、前記各画像データ毎に特定した縦横比を維持したまま、各々の画像データに対し、前記各画像データ毎の拡大比率又は縮小比率に従った個別のサイズ変更処理を施す画像サイズ調整手段と、当該画像サイズ調整手段によってサイズ変更処理が施された一連の画像データが示す各画像を前記表示手段に表示させる表示制御手段とを備える。
【０００８】
本発明の別の好適な態様である移動通信端末は、表示手段と、複数の画像データを添付した電子メールを受信する受信手段と、当該電子メールに添付されていた複数の画像データを記憶する記憶手段と、前記記憶手段に記憶された各画像データが示す画像の横幅が前記表示手段の表示領域の横幅から食み出すか否かをそれぞれ判断する判断手段と、前記判断手段によって表示領域から食み出すと判断された画像データが示す画像の縦幅と横幅の比率を縦横比として特定する縦横比特定手段と、前記判断手段によって表示領域から食み出すと判断された画像データに対し、前記特定した縦横比を維持したまま、その画像の横幅を前記表示領域の横幅と一致させるためのサイズ変更処理を施す画像サイズ調整手段と、前記判断手段によって表示領域から食み出すと判断された画像データについては、前記サイズ変更処理が施された画像データが示す画像を前記表示手段に表示させる一方で、表示領域から食み出さないと判断された画像データについては、前記サイズ変更処理が施されていない画像データが示す画像を前記表示手段に表示させる表示制御手段とを備える。
【０００９】
かかる態様において、前記画像サイズ調整手段が、前記判断手段によって表示領域から食み出すと判断された画像データが示す画像の横幅と前記表示領域の横幅との比率から、当該画像データが示す画像の横幅を前記表示領域の横幅と一致させるための縮小比率を算出し、この縮小比率に従って前記サイズ変更処理を施すようにしてもよい。
【発明の効果】
【００１０】
本発明によると、複数の画像データが添付された電子メールを受信した場合において、各画像データが示す画像を最も見やすい大きさでそれぞれ表示させることができる。
【発明を実施するための最良の形態】
【００１１】
（発明の実施の形態）
以下、図面を参照しつつ、本発明の実施形態にかかるデコレーションメールシステムについて説明する。本実施形態にかかるデコレーションメールシステムの特徴は、画像の表示領域のサイズを異にする端末間で複数の画像データを添付した電子メールの授受を行う際、電子メールを受信した各端末が、添付された複数の画像データのうち、自機の表示領域の横幅を食み出してしまうサイズの画像を特定し、特定した画像を自機のディスプレイのサイズに合わせて縮小表示するようにした点である。
なお、本実施形態における「電子メールデータ」とは、文章部分を示すテキストデータと一又は複数の画像データとを共に含む、一通の電子メールの制御データを意味するものとして以下の説明を行なう。
【００１２】
図１は、デコレーションメールシステムの全体構成を示す図である。同図に示すように、このシステムは、インターネット１０に接続された通信端末２０と、ゲートウェイ（以下、「ＧＷ３０」）３０を介してインターネット１０に接続された移動通信網４０と、移動通信網４０に収容される移動通信端末５０Ａおよび５０Ｂとを有している。
通信端末２０は、例えばパーソナルコンピュータ（以下、ＰＣ）であり、インターネット１０を介して受信した電子メールデータに含まれるテキストデータや画像データを適宜レイアウトして表示させたり、公知のドローイングソフトを利用して画像を描画し、その画像データを含む電子メールデータを他のノードに宛てて送信する機能を搭載している。
ＧＷ３０は、インターネット１０における通信プロトコルと移動通信網４０における通信プロトコルとを相互変換する機能を備えている。このＧＷ３０は、通信端末２０とインターネット１０上に設置された電子メールサーバとの間での、移動通信網４０およびインターネット１０を介した通信を仲介する。
移動通信網４０は、複数の基地局（図示省略）や交換機（図示省略）などを含んでおり、各基地局の形成する無線エリアに在圏している移動通信端末５０Ａ及び５０Ｂを収容し、無線通信サービスを提供する。
【００１３】
移動通信端末５０Ａ及び５０Ｂは、本実施形態に特有の動作を行なう携帯電話機である。以下では、移動通信端末５０Ａと５０Ｂとを区別する必要がない場合には、単に「移動通信端末５０」と表記する。
図２は、移動通信端末５０のハードウェア構成を示すブロック図である。同図に示すように、移動通信端末５０は、操作部５１と、表示部５２と、無線通信部５３と、記憶部５４と、制御部５５と、これら各構成要素間のデータ授受を仲介するバス５６とを有している。
操作部５１は、ユーザに各種指示を入力させるための複数の操作子を備えており、その操作子の操作内容に応じたデータを制御部５５へ引渡す。
表示部５２は、液晶ディスプレイとその駆動回路であり、制御部５５から引渡されたデータに応じた画像を表示する。なお、この表示部５２の表示領域のサイズは、移動通信端末５０の機種に応じて異なる。本実施形態の特徴を説明する便宜上、以降は、移動通信端末５０Ａが備える表示部５２の表示領域は１４４ピクセルの横幅を有しており、移動通信端末５０Ｂが備える表示部５２の表示領域は２４０ピクセルの横幅を有しているものとして説明を行なう。
無線通信部５３は、移動通信網４０の図示しない基地局から送信されてくるデータを受信して制御部５５へ引渡すと共に、制御部５５から引渡されたデータを上記基地局へ送出する。
【００１４】
記憶部５４は、ＲＡＭ（Random Access Memory）などにより構成される揮発性記憶部５４ａと、ＲＯＭ（Read Only Memory）やＥＥＰＲＯＭ（Electrically Erasable And Programmable ROM）により構成される不揮発性記憶部５４ｂとを含んでいる。
揮発性記憶部５４ａは、制御部５５のワークエリアとして利用される。一方、不揮発性記憶部５４ｂは、ＯＳ（Operating System）を制御部５５に実現させるためのＯＳソフトウェアのほかに、他の移動通信端末５０への発呼、他の移動通信端末５０からの着呼、及びその端末との間での音声データ授受を行なうためのプログラムである通話アプリケーション、他の移動通信端末５０又は通信端末２０との電子メールデータのやり取りを行なうためのプログラムであるメーラアプリケーション、電子メールに添付する画像データを生成するためのプログラムであるドローイングアプリケーション、特定のＵＲＬ（uniform resource locator）に存在するデータの取得して表示するためのプログラムであるブラウザアプリケーションといったような各種プログラムを格納している。
【００１５】
また、不揮発性記憶部５４ｂには、他の移動通信端末５０又は通信端末２０から受信した電子メールデータを格納する領域が確保されている。
ここで、この電子メールデータのデータ構造は図３に示すようになっている。同図に示すように、電子メールデータは、送信先アドレス記述部と送信元アドレス記述部と本文データ記述部と添付ファイルデータ記述部とからなる。
【００１６】
送信先アドレス記述部と送信元アドレス記述部はいわゆるヘッダに相当する。本文データ記述部には、メールの文章を構成するテキストデータが１センテンス毎にＨＴＭＬ（hypertext markup language）タグと対応付けて記述されている。各センテンスと対応するＨＴＭＬタグには、それら各センテンスを構成する文字の大きさや表示色といったような属性を指定する情報が適宜関連付けられている。電子メールを受信した端末の制御部５５は、これらの属性を解釈することによって各センテンスの文字の大きさや表示色を決定する。また、本文データ記述部には、電子メールに添付された一又は複数の画像データの識別情報を関連付けたＨＴＭＬタグが更に記述される。
添付ファイルデータ記述部には、電子メールに添付される一又は複数の画像データが記述されている。これら画像データの各々は、ＧＩＦ（Graphic Interchange Format）形式で記述されており、ビットマップを形成する各ピクセル毎の制御情報のほかに、画像の縦幅及び横幅を示す属性データを内包している。
【００１７】
更に、不揮発性記憶部５４ｂは、上記メーラアプリケーションのプラグインとして機能する画像調整アプリケーションを格納している。移動通信端末５０は、メーラアプリケーションとこの画像調整アプリケーションとを共に実装することで、本実施形態に特有の機能を実現する。
【００１８】
制御部５５は、例えばＣＰＵ（Central Processing Unit）であり、記憶部１２０に格納されている各種プログラムを読み出して順次実行することにより、装置全体の動作を制御する。
制御部５５は、移動通信端末５０の電源（図示省略）が投入されると、まず、ＯＳソフトウェアを不揮発性記憶部５４ｂから読み出して実行する。ＯＳソフトウェアにしたがって作動している制御部５５には、操作部５１から入力されたユーザの指示に応じ他のソフトウェアを適宜呼び出して実行する機能が付与される。例えば、他の移動通信端末５０から受信した電子メールの閲覧を指示する操作が操作部５１から入力されると、制御部５５は、メーラアプリケーション、及びそのプラグインとして実装される画像調整アプリケーションを不揮発性記憶部５４ｂから読み出して実行する。
【００１９】
次に、本実施形態に特有の動作である画像調整処理について説明する。
この処理は、上述したメーラアプリケーション及び画像調整アプリケーションを制御部５５が逐次実行することにより行なわれる。
この処理が行われる前提として、移動通信端末５０の不揮発性記憶部５４ｂは、他の移動通信端末５０又は通信端末２０から受信した電子メールデータを少なくとも１つ格納している必要がある。
【００２０】
図４は、移動通信端末５０Ａにて実行される画像調整処理を示すフローチャートである。
電子メールの閲覧を指示する操作が行なわれると、移動通信端末５０Ａの制御部５５は、閲覧が指示された電子メールデータを不揮発性記憶部５４ｂから特定し、その本文データ記述部の内容を解釈することで、文章を構成する各センテンス毎の文字のフォント、表示色といったような文章部分のレイアウトを決定する（Ｓ１１０）。
【００２１】
制御部５５は、本文データ記述部を更に解釈することで、このメールに添付されている画像データを特定し、特定した各画像データを不揮発性記憶部５４ｂからそれぞれ読み出す（Ｓ１２０）。なお、複数の画像データが添付されているときはそれらのすべてを読み出す。制御部５５は、読み出した画像データが内包する属性データをそれぞれ参照することで、それら各画像データによって描画される画像の横幅が、自機の表示部５２の表示領域の横幅から食み出すか否かをそれぞれ個別に判断する（Ｓ１３０）。
【００２２】
制御部５５は、上記判断の結果、表示領域の横幅から食み出すと判断した各画像データによって描画される画像の横幅を自機の表示領域の横幅と一致させるための画像縮小比率をそれぞれ算出する（Ｓ１４０）。例えば、ある画像の横幅が表示領域の横幅の２倍であったとき、縮小比率は５０％と算出されることになるし、別のある画像の横幅が表示領域の１．２倍であったとき、縮小比率は８０％と算出される。
更に、制御部５５は、表示領域の横幅から食み出すと判断した各画像データによって描画される画像の横幅と縦幅の比率を縦横比としてそれぞれ特定する（Ｓ１５０）。
制御部５５は、画像縮小率を算出した各画像データに対し、各々の縦横比を維持したまま、それぞれの縮小比率に従った縮小処理を施す（Ｓ１６０）。即ち、表示領域から食み出すと判断した画像データに、個別に算出しておいた縮小比率を作用させて画像を縮小する。
制御部５５は、各画像データを基に描画した画像を上記レイアウトされた文章部分の所定箇所に挿入して得た画面を表示部５２に表示させる（Ｓ１７０）。この際、表示領域から食み出すと判断された画像データについては、縮小処理が施された画像データが示す画像を表示させる一方で、食み出さないと判断された画像データについては、縮小処理が施されていない画像データが示す画像を表示させる。
以上で画像調整処理が終了する。
【００２３】
ここで、画像データに施される縮小処理を更に具体的に説明する。図５は、移動通信端末５０Ｂから送信された電子メールデータを移動通信端末５０Ａがレイアウトして表示する様子を模式的に示す図である。
上記前提条件により、移動通信端末５０Ｂの表示部５２の表示領域のサイズは移動通信端末５０Ａの表示領域のサイズよりも大きいので、移動通信端末５０Ｂから送信される電子メールデータの中には、移動通信端末５０Ａの表示部５２に表示しきれない横幅の画像データが含まれていることがある。図５の例では、画像Ａの横幅が１１０ピクセル、画像Ｂの横幅が２３０ピクセル、そして画像Ｃの横幅が２３５ピクセルとなっている。従って、画像Ｂと画像Ｃは、１４４ピクセルの横幅しかない移動通信端末Ａの表示領域には納まりきらない。この場合、電子メールデータを受信した移動通信端末５０Ａは、画像Ｂを自らの表示部５２の表示領域と一致させるため画像縮小比率を、２３０ピクセルの１４４ピクセルに対する百分率を算出することによって求めると共に、画像Ｃを自らの表示部５２の表示領域と一致させるため画像縮小比率を、２３５ピクセルの１４４ピクセルに対する百分率を算出することによって求める（上記フローチャートのステップ１４０）。そして、画像Ｂ、Ｃを描画するピクセルの制御データを各々の縮小比率に応じて間引きすることによって、画像Ｂと画像Ｃの横幅を１４４ピクセルと一致させる。一方、画像Ａは、その横幅が１４４ピクセル以下であるため、縮小処理を施すことなくそのまま表示する。
これにより、画像Ｂ及びＣの横幅が表示領域の横幅に収まりきるようにレイアウトされた画面が表示される。
【００２４】
以上説明した実施形態では、各移動通信端末５０が画像調整アプリケーションを実装している。そして、各々が受信した電子メールデータに含まれる複数の画像データをレイアウトして表示する際は、それら複数の画像データのうち、自機の表示部５２のサイズに収まりきらない横幅となる画像データを選別し、選別した画像を最も見やすい大きさで表示させるための個別の縮小処理をそれぞれ施すようになっている。従って、表示部５２のサイズに収まりきらない横幅で作成されている画像を最も見やすい大きさで表示させることができる。
なお、電子メールを送信する端末と受信する端末とで表示領域の縦幅と横幅の比率が異なる場合、電子メールに添付されていた画像データが示す画像の横幅を受信側の端末の表示領域と一致させるような縮小処理を施したとしても、画像の下の部分が一部画面から食み出してしまうといった事態が想定しうる。しかしながら、このような場合であっても、画面を上下方向にスクロールさせるという極めて容易な操作を行なうことによって、好適な横方向のサイズでレイアウトされた画像を閲覧することができる。
【００２５】
（他の実施形態）
上記実施形態では、移動通信端末５０がメールクライアント機能を備えた携帯電話機である場合について説明したが、メールクライアント機能を備えたＰＨＳ（Personal Handyphone System：登録商標）やメールクライアント機能を備えたＰＤＡ（Personal Digital Assistance）、メールクライアント機能を備えたモバイル型ＰＣなどであってもよい。
また、上記実施形態において、画像調整アプリケーションは、予め不揮発性記憶部５４ｂに記憶されているものとして説明したが、かかるアプリケーションをＪａｖａ（登録商標）プログラミング言語によって記述したものをネットワーク上のサーバ装置に記憶し、該アプリケーションがこのサーバ装置に対する各移動通信端末５０の要求に応じて適宜配信され、移動通信端末５０のＪａｖａ仮想マシーン上で実行されるようにしてもよい。
上記実施形態では、移動通信端末５０が、自機よりも表示領域の大きな端末で作成された画像に適宜縮小処理を施して表示させる構成を説明したが、自機よりも表示領域が小さい端末で作成された画像に適宜拡大処理を施して表示させるようにしてもよい。
上記実施形態における画像データは、ＧＩＦ形式で記述されているものとして説明したが、例えばＪＰＥＧ（Joint Photographic Experts Group）といったような他の形式で記述されたものであってもよい。
【図面の簡単な説明】
【００２６】
【図１】実施形態の全体構成図である。
【図２】移動通信端末のハードウェア構成を示すブロック図である。
【図３】電子メールデータのデータ構造図である。
【図４】実施形態の動作を示すフローチャートである。
【図５】電子メールデータを移動通信端末が表示する様子を示す図である。
【符号の説明】
【００２７】
１０…インターネット、２０…通信端末、３０…ゲートウェイ、４０…移動通信網、５０…移動通信端末、５１…操作部、５２…表示部、５３…無線通信部、５４…記憶部、５５…制御部、５６…バス
【図１】
2005182323.tif 000003
【図２】
2005182323.tif 000004
【図３】
2005182323.tif 000005
【図４】
2005182323.tif 000006
【図５】
2005182323.tif 000007